(57)【要約】      （修正有）【課題】身体からの発汗及び保冷材が大気と接して発生する結露水を処理する能力を有する背負い型背中冷却衣を提供する。【解決手段】、後背部２と後背部２の身体側に設ける袋部３と肩掛け部４と伸縮部で構成され、後背部２と袋部３と肩掛け部４は内布と外布及び当該内布と外布の間に急速吸水材を狭持させた３層構造とし、肩掛け部４は長さ方向の略中央部を幅広とした立体裁断された形状であり、隣接する後背部２と伸縮部に立体縫製で連接する背負い型背中冷却衣の構造である。【選択図】図５
2015047488.tif 000002
【特許請求の範囲】
【請求項１】
後背部と前記後背部の身体側に設ける袋部と肩掛け部と伸縮部で構成され、前記後背部と前記袋部と前記肩掛け部は内布と外布及び当該内布と外布の間に急速吸水材を狭持させた３層構造とし、前記袋部に冷却剤を収納して背中を冷却する背負い型背中冷却具。
【請求項２】
前記肩掛け部は立体裁断され、かつ長さ方向の略中央部が幅広形状であり、隣接する前記後背部と前記伸縮部に立体縫製で連接する構造であることを特徴とする請求項１に記載の背負い型背中冷却具。
【発明の詳細な説明】
【技術分野】
【０００１】  本発明は冷却剤を収容して身体の背中に装着し、酷暑の環境で働く人々の身体に受ける暑気を和らげることを目的とする背負い型クールリュックに関する。
【背景技術】
【０００２】  近年、老齢化による身体の自由が不自由な人、痴呆により自らの意志で行動が不可能な人などの介護における入浴サポートの労働を行う介護士のほか、炎天下で工事現場の近傍で交通整理等を行う労働者等、酷暑の環境においても必要最小限の重労働を行わなければならない事象が数多く存在する。
それらの酷暑の環境下において作業動作に支障を与えない範囲で身体に冷感を供与・提供し、疲労を最小限に制約できる用具の提供が求められている。
【先行技術文献】
【特許文献】
【０００３】
【特許文献１】特開２００２−１１３０３５号公開公報
【特許文献２】特許第４９９５８６８号公開公報
【特許文献３】登録実用新案第３１６６１２７号公開広報
【特許文献４】特開２００２−８８５３１号公開公報
【特許文献５】特許第３６５３４８９号公開公報
【特許文献６】特開２００６−２８６６５号公開広報
【発明の概要】
【発明が解決しようとする課題】
【０００４】  以上の背景において、わきの下、足の付け根、首筋向けの冷却具が提案されている（特許文献１）が、収容する冷却剤の大きさに制約があり、身体全体としての冷却感に乏しい欠点を有する。
また、背中に当接する袋部を有し、その袋部の上下から両肩にかける伸縮性の紐部を接続し、該袋部に冷却剤を収納して背中部位を冷却する構造が提案（特許文献２、特許文献３）されているが、冷却剤を収納した状態では、該冷却剤の重量により肩掛け部の伸縮材が伸張し該袋部が背中の下部にずれるという欠点を有する【０００５】  また、上半身の背部と脇部を冷却目的とした提案（特許文献４）がなされているが、背中から羽織る構造においての固定方法が胸前で係止する方法であり、フリーサイズが求められるニーズには対応が困難である。
また、上半身の部位別に要冷却部位を選定できるジャケット型の体温冷却衣（特許文献５、特許文献６）が提案されているが、その目的が体温を下げることとしているため、着用する人の体型やサイズ毎の専用着とする必要があるし、面テープ等による着脱としても着脱に手間を要しての重装備となることとなり実用性の面から課題が多い。
また、前記の殆どの提案に関して、保冷剤の収納部の素材に耐水性を有するもの及び通気性を良いメッシュ生地を用いることとしているが、身体からの発汗に加え、保冷剤が大気と接して発生する結露水を処理する能力を全く有せず、実用性の点から適正な保冷具とは言い難い面がある。
【課題を解決するための手段】
【０００６】  本願発明者は、前記のかかる問題点を解消し、使用者が至便に利用でき、かつ冷却効果と併せて身体からの発汗や冷却剤の低温に起因する結露水を、用いる素材自体が吸収し、袋部に収容した冷却剤の重量が肩部に集中しない立体裁断・縫製構造とすることで装着者に新たな問題が起因されない実用性の高い背負い型背中冷却衣を提案するものである。【０００７】  第１の発明は、後背部と、前記後背部の身体側に設ける袋部と肩掛け部と伸縮部で構成され、記後背部と前記袋部と前記肩掛け部は内布と外布及び当該内布と外布の間に急速吸水材を狭持させた３層構造とし、前記袋部に冷却剤を収納して背中を冷却する背負い型背中冷却衣とするものである。【０００８】  第２の発明は、前記肩掛け部は立体裁断され、かつ長さ方向の略中央部が幅広形状であり、隣接する前記後背部と前記伸縮部に立体縫製で連接する構造であることを特徴とする請求項１に記載の背負い型背中冷却衣とするものである。
【発明の効果】
【０００９】  従来から、暑気から受ける身体の影響を軽減するために、背負いタイプやジャケットタイプやの冷却衣が提案されているが、構造が簡単であるが機能が不十分であること、また、冷却感を優先したため複雑な構造となっていることに加え、通気性の素材を用いることで冷気による冷却効果を期待していることに反して、着用者の汗や冷却剤による結露水に対する技術的対策が不十分である。
それらに比較して本願発明の背負い型背中冷却衣１、より以上に構造が簡単でありながら、着用者が装着しやすいことに加え、暑気などの悪環境下での着用者が発する発汗水分及び冷却剤と外気との接点に発生する結露水（凝縮水）を、本願発明の背負い型背中冷却衣１の構造に含まれる急速吸水材で吸水させ、着用者の冷却効果を更に高めかつ着用に伴う新たな悪環境を完全に排除し、速乾素材や急速吸水材の機能を生かした熱伝達による冷却効果を発揮させ、身体に優しい冷却効果を見込むことができる。【００１０】  本願発明の背負い型背中冷却衣１は冷却効果を十分に発揮できる構造でありながら、冷却剤の重量を肩で受けるのではなく、前胸（前身頃）に集中させる立体裁断・立体縫製構造とすることで着用者の体型に合わせた数種のサイズを用意せずとも、なおかつ「なで肩」の着用者でも肩掛け部４がずれることもなく、後背部２の設けた袋部３が背中に密着し続けることができるので、２種類程度のサイズ商品で大方の身体サイズに対応できるなどの効果も有する。
また、本願発明の背負い型背中冷却衣１は夏場の就寝時に冷枕としても利用できる他、身体発熱時に氷枕の代用としても活用できる。
【図面の簡単な説明】
【００１１】
【図１】本願発明の背負い型背中冷却衣を装着した状態の斜視図  （Ａ）は身体後背部、（Ｂ）は身体前面部
【図２】本願発明の背負い型背中冷却衣の外側斜視図
【図３】本願発明の背負い型背中冷却衣の内側斜視図
【図４】本願発明の背負い型背中冷却衣の外側（後背部）正面図
【図５】本願発明の背負い型背中冷却衣の内側（前面部）正面図
【図６】本願発明の背負い型背中冷却衣の内側の正面展開図
【発明を実施するための形態】
【００１２】  請求項１に記載の発明に関し図１〜図６を用いて説明する。
背中の上位部位である肩胛骨周辺を冷却するための構造として、後背部２と、後背部２の身体側に設ける袋部３と肩掛け部４と伸縮部５で構成する。
後背部２を背中上部に固定するための肩掛け部４の一方が後背部２の上部左右位置に連接固着され、後背部２の下部を固定するための伸縮部５の一方が後背部２の下部左右位置に連接固着され、更に伸縮部５の他方は肩掛け部４の他方に連接固着され、後背部２の冷却剤（図示しない）を収納する袋部３が後背部２の身体側に縫製等により固着された構造とした背負い型背中冷却衣１である。
【００１３】  図１の（Ａ）は着用者が本願発明の背負い型背中冷却衣１を着用した背中部位の斜視図ある。
着用者が背中部に冷却効果を得るためには、後背部２と肩掛け部４と伸縮部５で形成された略楕円形の空洞部分に腕を通して、肩掛け部４を着用者の胸前（前身頃）に引き寄せて完成形となる。
本願発明の背負い型背中冷却衣１は、簡易な構造と着用の簡便さでもって着用者の背中を冷却する目的を果たすことが出来るのである。
当該袋部３に冷却された冷却剤が収納された場合でも、下部の伸縮部５で緊迫度を確保しているため、当該後背部２の身体側に固着した袋部３の加重が肩掛け部４における肩位置よりも胸前部位に作用するので、当該袋部３を含む後背部２が背中で下側にずれ落ちることを最小限にすることができる。
【００１４】  図１の（Ｂ）は着用者が本願発明の背負い型背中冷却衣１を着用した時の胸部（前身頃）斜視図である。
冷却剤の重量が肩に集中せず、肩掛け部４の前身頃全体にかかっており、当該袋部３を含む後背部２が背中の下側にずれ落ちることを最小限にすることができている。
なお、本願発明の形状・構造とすることにより、両肩の部位に冷却剤の重量に起因する加重がかかることが少ないため「なで肩」の着用者でも肩掛け部４が二の腕の方向にずれることも最小限に抑制することができる。
【００１５】  図３及び図４は本願発明の背負い型背中冷却衣１の後方から見た斜視図と前方からみた斜視図である。
図３では肩掛け部４の胸前部位に、当該肩掛け部４を更に身体にフィットさせるため、胸前部位において両方の肩掛け部４を緩やかに固定するための肩掛け部雌係止具８１及び肩掛け部雄係止具８２が設けられている。
本願発明においては、より身体への装着感を高めたい着用者向けに、前記雌雄の係止具８１及び８２の取り付け等も包摂するものとする。
当該雌雄の肩掛け部雌係止具８１の形状や素材に関しては、平らな布製に限らず丸いゴム状の伸縮材を用いてもよく、他方の肩掛け部雄係止具８２はボタンが代表的であるが、それらと同様の機能を有するものであれば前記雌雄の係止具８１及び８２の素材や形状、構成は本願発明の目的を達せられるもの全てを包摂するものとする。
また、長さや緊迫度調節用にバックル接続構造とすることもできる。
【００１６】  図４及び図５は本願発明の後背部２の正面図と、胸側（前身頃）の正面図である。
図５には、後背部２の身体側に設ける袋部２を示している。
袋部３は、冷却された冷却剤を収納するため下部と両側部は後背部２と縫製等によって固着されており、当該袋部３の上方は冷却剤の出し入れに便利なように開放されていて、後背部２の身体側（内側）と袋部３の後背部２側（内側）には雌雄の袋部係止具６が固着される。
この雌雄の袋部係止具６によって、収納された冷却剤がどのような作業姿勢にも当該袋部３より逸脱することなく当該袋部３の中に安定して収納される。
【００１７】  また、図５に示すように、胸部筋肉の発達した着用者向けや、乳房の大きな女性が装着する場合の肩掛け部４の胸上部（体の後ろ側に引っ張れる）への肩掛け部４のずり上がり（後背部のずり下がり）を防止するため肩掛け部下位雌係止具８３及び肩掛け部下位雄係止具８４を設けることも有効である。
本願発明においては、前記雌雄の係止具８３及び８４を特段の必要性を主張していないが、より身体への装着感を高めたい着用者向けに、当該雌雄の係止具８３及び８４の取り付け等も包摂するものとする。
前記雌雄の肩掛け部下位雌係止具８３の形状や素材に関しては、平らな布製に限らず丸いゴム状の伸縮材を用いてもよく、他方の肩掛け部下位雄係止具８４はボタンが代表的であるが、それらと同様の機能を有するものであれば前記雌雄の係止具８３及び８４の素材や形状、構成は本願発明の目的を達せられるもの全てを包摂するものとする。
また、長さや緊迫度調節用にバックル接続構造とすることもできる。
【００１８】  また、本願発明の背負い型背中冷却衣１において、その主たる構成部位である後背部２と袋部３と肩掛け部４の各部位の厚み方向の構成は、表布と裏布と当該表布と裏布の間に急速吸水材を狭持した３層構造をすることにある。
本願発明に用いる表布と裏布の素材は速乾吸水材が好適であり、現時点ではセオ・アルファ「ＣＥＯα」（東レ株式会社の登録商標）が最適であるが、本願発明の目的を達成できる素材であればそれら全ての素材を本願発明に包摂するものとする。
また、本願発明の背負い型背中冷却衣１の後背部２と袋部３と肩掛け部４の各部位において表布と裏布に狭持される厚み方向の３層構造の急速吸水材に関しては、現時点でベルオアシス（帝人ファイバー株式会社の登録商標）を用いるのが最適であるが、本素材に関しても、本願発明の目的を達成できる素材であればそれら全ての素材を本願発明に包摂するものとする。
【００１９】  前記表布及び裏布には速乾吸水性を有する素材を用い更に、当該表布と裏布の間に急速吸水性を有する素材を狭持させた３層構造とすることで本願発明の背負い型背中冷却衣１の機能をより高いレベルとすることが出来る。
即ち、当該表布と裏布に狭持された急速吸水材は、本願発明の袋部３に収納される冷却剤により、身体から発散される汗等と併せ外気に触れることで発生する結露水を繊維体積の１０倍にも及ぶ急速吸水材（ベルオアシス）が吸水し、表布と裏布の速乾性機能によって本願発明の背負い型背中冷却衣１の表面に結露することなく外気等へ蒸散・発散させ得ることにより、本願発明の背負い型背中冷却衣１は表面が濡れ状態となることを最小限に抑制できる。
【００２０】  請求項２について図６（図１〜図５）を用いて説明する。
本願発明の最大の技術的特徴点として、前記肩掛け部４を立体裁断されかつ長さ方向の略中央部を幅広形状とし、肩掛け部４と隣接する後背部２と伸縮部５に立体縫製で連接する構造とした背負い型背中冷却衣１とすることにある。
前記肩掛け部の略中央部を幅広形状とすることにより、背中位置の袋部３に収納されて冷却剤の重みが、当該略中央部が幅広の肩掛け部４全体に分散され着用者が特定箇所に冷却剤の重みを感じないに加え胸部のずり上がり（後背部のずり下がり）防止も功を奏する構造となっている。
比較として先行技術の特許文献２（特許第４９９５８６８号公開公報）及び特許文献３（登録実用新案第３１６６１２７号公開広報）にも、全体として類似した構成・構造が提案されているが、肩掛け部が紐状（平らな形状であっても）であり、当該紐がゴム製などの伸縮材で構成されている場合、背部に設けられた袋部に冷却剤を収納して着用者が着用すると、当該冷却剤の重みに伴い紐部は後背部方に引っ張られて袋部が背中の下方に向けてずり落ちの力が働き、併せて背中部位の密着性が低下し、冷却効果を目的どおりに果たせない重大な欠陥を有している。
【００２１】  本願発明の肩掛け部４は立体裁断され、かつ長さ方向の中央部が幅広形状としたことに併せて、当該肩掛け部４に隣接する後背部２及び伸縮部５との接続箇所においても立体縫製とすることで、当該袋部３に収納された冷却剤の重量は、肩の部位ではなく肩掛け部４の前胸側（前身頃）の略中央部に集中するので、後背部２の袋部３が背中下位にずり落ちることなく，着用者の背中上位に密着するので、背部の肩胛骨近傍を心地よく冷却する目的を果たすことが出来るのである。
【産業上の利用可能性】
【００２２】  本願発明は、主に高温などの暑気の悪環境下において労働する作業者の疲労軽減、健康維持の補助具とすることを主たる目的に発明を行ったのであるが、本願発明の背負い型背中冷却衣１を着用することによって心臓部位に近い部位を冷却又は加温することに伴い体内を循環する血液を冷却又は加温する効果を奏することに繋がるため、例えば工事現場の交通整理員などは四季に亘る厳しい環境下の作業においても袋部に本願発明のように夏期は冷却剤、冬期は懐炉等を収納することによって周年にわたって暑気や寒気から身体に受けるダメージを少なからず和らげる効用を発揮する機能を持ち合わせており、特段冷却向けに制限せず実用的に広い範囲で応用展開が可能である。
【符号の説明】
【００２３】１  背中部位冷却衣
２  後背部
３  袋部
４  肩掛部
５  伸縮部
６  袋部係止具
８１  肩掛け部雌係止具
８２  肩掛け部雄係止具
８３  肩掛け部下位雌係止具
８４  肩掛け部下位雄係止具
【図１】
2015047488.tif 000003
【図２】
2015047488.tif 000004
【図３】
2015047488.tif 000005
【図４】
2015047488.tif 000006
【図５】
2015047488.tif 000007
【図６】
2015047488.tif 000008
【手続補正書】
【提出日】平成26年8月18日(2014.8.18)
【手続補正１】
【補正対象書類名】明細書
【補正対象項目名】００１９
【補正方法】変更
【補正の内容】
【００１９】  前記表布及び裏布には速乾吸水性を有する素材を用い更に、当該表布と裏布の間に急速吸水性を有する素材を狭持させた３層構造とすることで本願発明の背負い型背中冷却衣１の機能をより高いレベルとすることが出来る。
即ち、当該表布と裏布に狭持された急速吸水材は、本願発明の袋部３に収納される冷却剤により、身体から発散される汗等と併せ外気に触れることで発生する結露水を繊維体積の１０倍にも及ぶ急速吸水材が吸水し、表布と裏布の速乾性機能によって本願発明の背負い型背中冷却衣１の表面に結露することなく外気等へ蒸散・発散させ得ることにより、本願発明の背負い型背中冷却衣１は表面が濡れ状態となることを最小限に抑制できる。